(57)【要約】【課題】  筐体の剛性を確保できる電子機器を得ることにある。【解決手段】  実施形態によれば、電子機器は、筐体と、前記筐体に収容されたペンホルダとを具備している。前記ペンホルダは、前記筐体に支持されるとともに手書き入力用の操作ペンを取り出し可能に保持する保持部と、この保持部に一体に設けられ、前記筐体を内側から補強する補強壁とを備えている。【選択図】図６
2012118940.tif 000002
【特許請求の範囲】
【請求項１】
第１の壁、第２の壁および前記第１の壁の縁と前記第２の壁の縁との間に跨る第３の壁を有する筐体と、
前記筐体の内部に取り外し可能に収容され、前記第１の壁と前記第２の壁との間に介在されて前記筐体を内側から補強するフレーム構造体と、
前記フレーム構造体に一体に設けられ、前記筐体の前記第３の壁の方向から挿入される手書き入力用の操作ペンを取り出し可能に保持する保持部を有するペンホルダと、を具備する電子機器。
【請求項２】
請求項１の記載において、前記ペンホルダは、前記保持部から起立されて、前記筐体の前記第１の壁と前記第２の壁との間に介在された補強壁を有する電子機器。
【請求項３】
請求項２の記載において、前記補強壁は、前記フレーム構造体と協働して前記保持部を囲んでいる電子機器。
【請求項４】
請求項３の記載において、前記ペンホルダは、(I)前記筐体の前記第３の壁に露出され、前記操作ペンが挿入されるペン挿入口と、(II)前記保持部に支持され、前記ペン挿入口から挿入された前記操作ペンと一緒にスライドされるスライダと、(III)前記操作ペンが前記筐体内に格納される位置まで前記スライダがスライドされた時に前記スライダをロックするとともに、前記操作ペンを前記筐体内から取り出す時に前記スライダのロックを解除するロック装置と、を具備する電子機器。
【請求項５】
請求項４の記載において、前記スライダは、前記操作ペンが前記筐体内に格納される第１の位置と、前記操作ペンが前記筐体の外に突出される第２の位置との間でスライド可能に上記保持部に支持され、前記ロック装置は、前記スライダが前記第１の位置にスライドされた時に、前記スライダを前記第１の位置にロックする電子機器。
【請求項６】
請求項１の記載において、前記フレーム構造体は、互いに間隔を存して配列された複数の第１のフレーム要素と、前記第１のフレーム要素と交差する方向に沿って互いに間隔を存して配列された複数の第２のフレーム要素とを有し、これら第１のフレーム要素と第２のフレーム要素とが格子状に組み合わされた電子機器。
【請求項７】
請求項６の記載において、前記第１のフレーム要素と前記第２のフレーム要素とが交差する箇所に、前記第１のフレーム要素と前記第２のフレーム要素との間に跨る補強板が設けられた電子機器。
【請求項８】
請求項６又は請求項７の記載において、前記筐体の前記第２の壁は、ハニカム形状のリブが設けられた内面を有し、前記フレーム構造体は、前記第２の壁の前記内面に向けて突出された複数の突起を有するとともに、前記突起の先端が前記第２の壁の内面のうち前記リブで囲まれた領域と対向した電子機器。
【請求項９】
筐体と、
前記筐体に収容され、手書き入力用の操作ペンを取り出し可能に保持する保持部を有するペンホルダと、
前記ペンホルダに一体に設けられ、前記筐体を内側から補強するフレーム構造体と、を具備する電子機器。
【請求項１０】
請求項９の記載において、前記ペンホルダは、前記保持部から起立されて前記筐体を内側から補強する補強壁を有する電子機器。
【請求項１１】
筐体と、
前記筐体に収容されたペンホルダであって、前記ペンホルダは、上記筐体に支持されるとともに手書き入力用の操作ペンを取り出し可能に保持する保持部と、この保持部に一体に設けられ、前記筐体を内側から補強する補強壁とを具備する電子機器。
【発明の詳細な説明】
【技術分野】
【０００１】
本発明の実施形態は、手書き入力用の操作ペンを保持するペンホルダを備えた電子機器に関する。
【背景技術】
【０００２】
例えば手書き文字認識機能を有する電子機器は、筐体の内部にスタイラスペンを取り出し可能に収容するペン収容部を備えている。ペン収容部はトンネル状の空洞であって、筐体の内部でスタイラスペンの軸方向に延びている。
【先行技術文献】
【特許文献】
【０００３】
【特許文献１】特開平１０−２０７６１１号公報
【発明の概要】
【発明が解決しようとする課題】
【０００４】
スタイラスペンがペン収容部から引き抜かれた状態では、ペン収容部が単なる空洞となって筐体の内部に残る。そのため、筐体の剛性を確保することが困難となる。
【０００５】
本発明の目的は、筐体の剛性を確保できる電子機器を得ることにある。
【課題を解決するための手段】
【０００６】
一つの実施形態によれば、電子機器は、筐体と、前記筐体に収容されたペンホルダとを具備している。前記ペンホルダは、前記筐体に支持されるとともに手書き入力用の操作ペンを取り出し可能に保持する保持部と、この保持部に一体に設けられ、前記筐体を内側から補強する補強壁とを備えている。
【図面の簡単な説明】
【０００７】
【図１】実施の形態に係るポータブルコンピュータの斜視図。
【図２】手書き入力用のスタイラスペンを第１の筐体のペン挿入口に挿入した状態を示す斜視図。
【図３】ポータブルコンピュータの第１の筐体を底の方向から見た平面図。
【図４】第１の筐体のトップカバーにダミーユニットを固定した状態を示す平面図。
【図５】筐体のトップカバーにダミーユニットを固定した状態を示す斜視図。
【図６】本体モジュールの断面図。
【図７】図４のＦ７−Ｆ７線に沿う断面図。
【図８】ダミーユニットの斜視図。
【図９】ペンホルダの保持部に支持されるスライダの斜視図。
【図１０】図９の反対側から見たスライダの斜視図。
【図１１】スライダにスタイラスペンを挿入した状態を示す平面図。
【図１２】スライダがスタイラスペンと一緒に第１の位置にスライドされた状態を示す平面図。
【図１３】スライダがスタイラスペンと一緒に第２の位置にスライドされた状態を示す平面図。
【発明を実施するための形態】
【０００８】
以下実施の形態について図面を参照して説明する。
【０００９】
図１は、電子機器の一例であるポータブルコンピュータ１を示している。ポータブルコンピュータ１は、本体モジュール２と表示モジュール３とを具備している。本体モジュール２は、第１の筐体４を備えている。第１の筐体４は、フラットな箱形であり、底壁５、上壁６および左右の側壁７（右側のみを図示）を有している。
【００１０】
底壁５は、第１の壁の一例であり、ポータブルコンピュータ１を例えば机の上に置いた時に、机の上面と向かい合う。底壁５は、第１の筐体４の上方に向けて円弧状に湾曲された前端部５ａを有している。上壁６は、第２の壁の一例であり、底壁５と向かい合っている。上壁６の前端縁は、底壁５の前端部５ａの上縁に突き合わされている。側壁７は、第３の壁の一例である。側壁７は、底壁５の側縁と上壁６の側縁との間に跨るように底壁５から起立している。
【００１１】
図２および図６に示すように、第１の筐体４は、ベース９およびトップカバー１０を備えている。ベース９は、底壁５および側壁７を含んでいる。トップカバー１０は、上壁６を含んでいる。第１の筐体４は、ベース９の上にトップカバー１０を被せることで組み立てられている。
【００１２】
図１、図２および図６に示すように、第１の筐体４の上壁６は、パームレスト１２とキーボード取り付け部１３とを備えている。パームレスト１２は、上壁６の前半部において第１の筐体４の幅方向に延びている。キーボード取り付け部１３は、パームレスト１２よりも凹んだ四角い窪みで構成され、パームレスト１２の背後に位置されている。
【００１３】
キーボード１４がキーボード取り付け部１３に設置されている。キーボード１４は、複数のキートップ１５を有している。キートップ１５の上面は、パームレスト１２の上面と略同一の面上に位置されているとともに、第１の筐体４の上壁６の上に露出されている。
【００１４】
図４ないし図６に示すように、パームレスト１２は、第１の筐体４の内側に露出された内面１２ａを有している。ハニカム状のリブ１６がパームレスト１２の内面１２ａに一体に形成されている。リブ１６は、パームレスト１２を第１の筐体４の内側から補強するための要素であって、パームレスト１２の内面１２ａから下向きに僅かに張り出している。リブ１６は、パームレスト１２の内面１２ａの上に複数の六角形状の領域１７を規定している。領域１７は、パームレスト１２の内面１２ａの全域に亘るとともに、互いに隣り合っている。
【００１５】
図１に示すように、表示モジュール３は、第２の筐体２０と、第２の筐体２０に収容された液晶表示装置２１とを備えている。第２の筐体２０は、第１の筐体４と略同じ大きさを有するフラットな箱形である。液晶表示装置２１は、情報を入力する透明なタッチパネル２２を有している。タッチパネル２２は、液晶表示パネルの上に積層されているとともに、第２の筐体２０の前面から第２の筐体２０の外に露出されている。
【００１６】
表示モジュール３は、第１の筐体４の後端部に支持されて閉じ位置と開き位置との間で回動可能となっている。閉じ位置では、表示モジュール３は、パームレスト１２やキーボード１４を覆うように第１の筐体４の上に横たわる。開き位置では、表示モジュール３は、パームレスト１２、キーボード１４およびタッチパネル２２を露出させるように第１の筐体４の後端部から起立する。
【００１７】
図１および図２に示すように、第１の筐体４は、例えばＳＤメモリカードを出し入れするためのカードスロット２４を備えている。カードスロット２４は、パームレスト１２の右端部と側壁７の上部とで規定された角部に開口されている。
【００１８】
図４ないし図６に示すように、リジッドなプリント回路板２５がパームレスト１２の内面１２ａの右端部にねじで固定されている。カードホルダ２６がプリント回路板２５の上に実装されている。カードホルダ２６は、カードスロット２４から挿入されたＳＤメモリカードを保持するとともに、ＳＤメモリカードが電気的に接続される端子を有している。カードホルダ２６は、プリント回路板２５とパームレスト１２の内面１２ａとの間の隙間に配置されて、カードスロット２４と隣り合っている。
【００１９】
フレキシブルプリント配線板２７がプリント回路板２５に接続されている。フレキシブルプリント配線板２７は、プリント回路板２５からパームレスト１２の内面１２ａに沿うように引き出されて、第１の筐体１４に収容されたマザーボードに電気的に接続されている。
【００２０】
ところで、実施の形態に係るポータブルコンピュータ１では、第１の筐体４の内部に光ディスク駆動装置を搭載したプレミアムなモデルと、光ディスク駆動装置を省いたベーシックなモデルとが用意されている。図１に示すポータブルコンピュータ１は、ベーシックなモデルである。ベーシックなモデルでは、第１の筐体４の内部の実装スペースに、光ディスク装置に代わって合成樹脂製のダミーユニット３０が取り外し可能に収容されている。
【００２１】
図４、図５および図８に示すように、ダミーユニット３０は、フレーム構造体３１とペンホルダ３２とを備えている。フレーム構造体３１は、光ディスク装置に対応する大きさを有している。フレーム構造体３１は、第１ないし第４の縦桟３３ａ，３３ｂ，３３ｃ，３３ｄと、第１ないし第３の横桟３４ａ，３４ｂ，３４ｃと、を備えている。
【００２２】
第１ないし第４の縦桟３３ａ，３３ｂ，３３ｃ，３３ｄは、第１のフレーム要素の一例である。第１ないし第４の縦桟３３ａ，３３ｂ，３３ｃ，３３ｄは、第１の筐体４の奥行き方向に延びているとともに、第１の筐体４の幅方向に間隔を存して互いに平行に配置されている。
【００２３】
第１ないし第３の横桟３４ａ，３４ｂ，３４ｃは、第２のフレーム要素の一例である。第１ないし第３の横桟３４ａ，３４ｂ，３４ｃは、第１の筐体４の幅方向に延びているとともに、第１の筐体４の奥行き方向に間隔を存して互いに平行に配置されている。
【００２４】
そのため、第１ないし第４の縦桟３３ａ，３３ｂ，３３ｃ，３３ｄおよび第１ないし第３の横桟３４ａ，３４ｂ，３４ｃは、互いに直交するように格子状に組み合わされている。
【００２５】
本実施の形態によると、第１の縦桟３３ａ、第４の縦桟３３ｄ、第１の横桟３４ａおよび第３の横桟３４ｃは、互いに協働して四角い外枠３５を構成している。外枠３５は、フレーム構造体３１の外形を形作っている。
【００２６】
フレーム構造体３１は、第２の横桟３４ｂと第１ないし第４の縦桟３３ａ，３３ｂ，３３ｃ，３３ｄとが交差する四つの交差部３６を有している。交差部３６は、第１の筐体４の幅方向に一列に並んでいる。
【００２７】
フレーム構造体３１の各交差部３６は、補強板３７で補強されている。補強板３７は、第２の横桟３４ｂの上縁と第１の縦桟３３ａの上縁、第２の横桟３４ｂの上縁と第２の縦桟３３ｂの上縁、第２の横桟３４ｂの上縁と第３の縦桟３３ｃの上縁および第２の横桟３４ｂの上縁と第４の縦桟３３ｄの上縁との間に跨っている。
【００２８】
さらに、ボス部３８が第１の横桟３４ａに一体に形成されている。ボス部３８は、パームレスト１２の内面１２ａと向かい合うように、第１の横桟３４ａの長手方向に沿う中間部から第２の横桟３４ｂに向けて突出されている。
【００２９】
図５、図６および図８に示すように、フレーム構造体３１は、複数の第１の突起４０および複数の第２の突起４１を有している。第１の突起４０は、第１の横桟３４ａ、第３の横桟３４ｃおよび第１ないし第４の縦桟３３ａ〜３３ｄからパームレスト１２の内面１２ａに向けて突出されている。第１の突起４０は、第１および第３の横桟３４ａ，３４ｃの長手方向に間隔を存して並んでいるとともに、第１ないし第４の縦桟３３ａ〜３３ｄの長手方向に互いに離れている。
【００３０】
第２の突起４１は、第１の横桟３４ａおよび第３の横桟３４ｃから第１の筐体４の底壁５の内面に向けて突出されている。第２の突起４１は、第１の横桟３４ａおよび第３の横桟３４ｃの長手方向に間隔を存して並んでいる。
【００３１】
前記ダミーユニット３０の前記ペンホルダ３２は、合成樹脂製のスタイラスペン４３を取り出し可能に保持するための要素である。スタイラスペン４３は、タッチパネル２２を押圧することで入力操作を実行する操作ペンの一例である。
【００３２】
図１１に示すように、スタイラスペン４３は、円柱状のペン本体４４、ペン先４５および突起部４６を備えている。ペン先４５は、ペン本体４４よりも径が小さいとともに、ペン本体４４の先端から突出されている。突起部４６は、ペン先４５の反対側に位置されている。突起部４６は、ペン本体４４の軸方向に延びるようにペン本体４４の外周面からフィン状に突き出ている。さらに、ペン本体４４の外周面に係合溝４４ａが形成されている。係合溝４４ａは、ペン本体４４の周方向に連続するとともに、ペン先４５に近いペン本体４４の先端部に位置されている。
【００３３】
図６ないし図８に示すように、前記ペンホルダ３２は、前記フレーム構造体３１と一体化されている。ペンホルダ３２は、保持部４８、スライダ４９およびプッシュプッシュ式のキャッチャー機構５０を備えている。
【００３４】
保持部４８は、フレーム構造体３１の第１の横桟３４ａに一体に形成されている。保持部４８は、第１の筐体４の幅方向に延びる細長い板状であり、フレーム構造体３１の周囲に張り出している。
【００３５】
保持部４８は、補強壁５１を有している。補強壁５１は、保持部４８の周縁から第１の筐体４の底壁５に向けて起立されているとともに、第１の横桟３４ａと協働して保持部４８を囲んでいる。補強壁５１の上縁および下縁に複数の第３の突起５２が形成されている。第３の突起５２は、互いに間隔を存して並んでいる。
【００３６】
保持部４８は、延出部５３を有している。延出部５３は、フレーム構造体３１の第１の縦桟３３ａよりもフレーム構造体３１の周囲に張り出している。ボス部５４が延出部５３に一体に形成されている。ボス部５４は、パームレスト１２の内面１２ａと向かい合うように、延出部５３から張り出している。
【００３７】
さらに、図１２および図１３に示すような位置決め部５５が保持部４８に一体に形成されている。位置決め部５５は、延出部５３の反対側に位置されているとともに、長孔状の係合孔５６を有している。
【００３８】
図４および図５に示すように、パームレスト１２の内面１２ａから突出された凸部５７が位置決め部５５の係合孔５６に嵌合されている。この嵌合により、パームレスト１２に対するダミーユニット３０の大まかな位置合わせがなされている。さらに、フレーム構造体３１のボス部３８およびペンポルダ３２のボス部５４は、夫々パームレスト１２の内面１２ａにねじ５８で固定されている。
【００３９】
このため、図６に示すように、ダミーユニット３０は、パームレスト１２の右端部の内面１２ａから吊り下げられた状態で第１の筐体４の内部の実装スペースに収まっている。ダミーユニット３０のフレーム構造体３１は、第１の筐体４の底壁５とパームレスト１２との間に介在されて、第１の筐体４を内側から補強している。
【００４０】
詳しく述べると、フレーム構造体３１の第１の突起４０は、その先端がリブ１６で囲まれた領域１７に対応した位置でパームレスト１２の内面１２ａに突き当たっているか、あるいは例えば１ｍｍ程度の僅かな隙間を存してパームレスト１２の内面１２ａと向かい合っている。同様に、フレーム構造体３１の第２の突起４１は、第１の筐体４の底壁５の内面に突き当たっているか、あるいは例えば１ｍｍ程度の僅かな隙間を存して底壁５の内面と向かい合っている。
【００４１】
このため、パームレスト１２の右端部を上方から押圧するような外力が第１の筐体４に加わった場合、フレーム構造体３１がパームレスト１２を下から支えて、パームレスト１２の変形を防止する。
【００４２】
さらに、本実施の形態では、カードホルダ２６を有するプリント回路板２５は、フレーム構造体３１の第２の横桟３４ｂ、第１および第２の縦桟３３ａ，３３ｂとパームレスト１２の内面１２ａとの間の隙間に収まっている。プリント回路板２５に接続されたフレキシブルプリント配線板２７は、フレーム構造体３１とパームレスト１２の内面１２ａとの間の隙間を通して配線されている。
【００４３】
この際、図５および図６に示すように、フレーム構造体３１の第１の突起４０は、プリント回路板２５の周囲でパームレスト１２を下から支えている。したがって、パームレスト１２の右端部を上方から押圧しても、パームレスト１２が凹むように変形し難くなり、パームレスト１２とカードホルダ２６との干渉を回避できる。
【００４４】
ダミーユニット３０をパームレスト１２の内面１２ａに固定した状態では、ペンホルダ３２の保持部４８がパームレスト１２の右端部の後部からキーボード取り付け部１３の下方に至る領域に位置されている。保持部４８は、第１の筐体４の右側の側壁７から第１の筐体４の幅方向に沿って延びている。
【００４５】
保持部３２の補強壁５１は、キーボード取り付け部１３と第１の筐体４の底壁５との間に介在されて、第１の筐体４を内側から補強している。
【００４６】
すなわち、補強壁５１の第３の突起５２は、その先端がキーボード取り付け部１３の内面および底壁５の内面に突き当たるか、あるいは例えば１ｍｍ程度の僅かな隙間を存してパームレスト１２の内面１２ａおよび底壁５の内面と向かい合っている。
【００４７】
このため、キーボード１４を上方から押圧するような外力が第１の筐体４に加わった場合、ペンホルダ３２の補強壁５１がキーボード取り付け部１３を下から支えて、第１の筐体４の変形を防止する。
【００４８】
図５および図８に示すように、保持部４８の延出部５３は、端壁６０を備えている。端壁６０は、第１の筐体４の右側の側壁７に設けた開口部６１に嵌め込まれている。言い換えると、端壁６０は、開口部６１から第１の筐体４の外に露出されて、第１の筐体４を形作る外観要素の一部となっている。
【００４９】
スタイラスペン４３を出し入れするペン挿入口６２が端壁６０に形成されている。ペン挿入口６２は、第１の筐体４の内部の実装スペースに開口されている。
【００５０】
図６および図７に示すように、保持部４８は、円弧状に湾曲された窪み部６５を有している。窪み部６５は、スタイラスペン４３のペン本体４４を受け止めるためのものであり、保持部４８の長手方向に一直線状に延びている。窪み部６５の一端は、延出部５３を経てペン挿入口６２に連続している。
【００５１】
複数の支持片６６が保持部４８に一体に形成されている。支持片６６は、保持部４８から突出するとともに、その突出端に爪６６ａを有している。このような支持片６６は、窪み部６５を間に挟んで向かい合うとともに、窪み部６５の長手方向に間隔を存して並んでいる。
【００５２】
図９および図１０に示すように、前記スライダ４９は、スタイラスペン４３の軸方向に延びる半円筒形であって、例えば合成樹脂材料により形成されている。具体的に述べると、スライダ４９は、スタイラスペン４３が入り込む凹部６８と、凹部６８の開口端を取り囲むスライドガイド面６９と、スタイラスペン４３のペン先４５が取り出し可能に嵌合する嵌合孔７０と、嵌合孔７０の反対側に向けて開口されたペン挿入部７１とを備えている。
【００５３】
スライダ４９は、凹部６８の開口端を窪み部６５に向けた姿勢で支持片６６の間に嵌め込まれている。これにより、図６および図７に示すように、支持片６６の爪６６ａが窪み部６５の反対側からスライダ４９の開口縁部に摺動可能に引っ掛かっている。このため、スライダ４９は、支持片６６の爪６６ａと保持部４８の下面との間で摺動可能に挟み込まれているとともに、スライダ４９のスライドガイド面６９が保持部４８の下面と向かい合っている。
【００５４】
この結果、スライダ４９は、第１の筐体４の幅方向にスライド可能に保持部４８に保持されて、スライダ４９の凹部６８が保持部４８の窪み部６５と向かい合っている。凹部６８および窪み部６５は、互いに協働してトンネル状のペン収容部７２を規定している。ペン収容部７２は、ペン挿入口６２に連なっている。
【００５５】
図９および図１０に示すように、スライダ４９は、係合片７３およびアーム部７４を備えている。係合片７３は、スライダ４９の長手方向に沿う中間部よりも嵌合孔７０の方向にずれた位置に一体に形成されている。係合片７３は、凹部６８内に突出された係合突起７５を有している。係合片７３は、係合突起７５が凹部６８の外側に退く方向に弾性変形が可能である。
【００５６】
アーム部７４は、スライダ４９の長手方向に沿う中間部から分岐されて、スライダ４９の嵌合孔７０の方向にスライダ４９と平行に延びている。アーム部７４の先端は、アーム部７４よりも拡張された矢尻状の嵌合部７６となっている。
【００５７】
スタイラスペン４３は、第１の筐体４のペン挿入口６２からスライダ４９のペン挿入部７１を通じてペン収容部７２に挿入される。スタイラスペン４３の挿入に伴い、ペン本体４４の係合溝４４ａがスライダ４９の係合突起７５の位置に達すると、係合突起７５が係合溝４４ａに弾性的に引っ掛かる。これにより、スタイラスペン４３とスライダ４９とが一体的に連結されて、スライダ４９がスタイラスペン４３と一緒にスライドする。
【００５８】
具体的に述べると、図１１は、スライダ４９の係合突起７５がペン本体４４の係合溝４４ａに引っ掛かった状態を示している。図１１に示すように、スタイラスペン４３とスライダ４９とが一体的に連結されると、ペン先４５がスライダ４９の嵌合孔７０に入り込むとともに、突起部４６を有するペン本体４４の端部がスライダ４９のペン挿入部７１から飛び出ている。
【００５９】
本実施の形態では、スライダ４９は、スタイラスペン４３と一緒に第１の位置と第２の位置との間でスライド可能となっている。図１２は、スライダ４９が第１の位置にスライドされた状態を開示している。第１の位置では、スライダ４９のペン挿入部７１がペン挿入口６２から遠ざかるとともに、突起部４６を有するペン本体４４の端部がペン挿入部７１とペン挿入口６２との間に位置されている。
【００６０】
そのため、スタイラスペン４３は、第１の筐体４の内部に格納されているとともに、ペン本体４４の端部は、第１の筐体４の外に突出することなくペン挿入口６２の開口端に収まっている。
【００６１】
図１３は、スライダ４９が第２の位置にスライドされた状態を開示している。第２の位置では、スライダ４９のペン挿入部７１が保持部４８の端壁６０の直前に位置されるとともに、突起部４６を有するペン本体４４の端部がペン挿入口６２から第１の筐体４の外に飛び出している。図２および図３は、ペン本体４４の端部がペン挿入口６２から第１の筐体４の外に飛び出た状態を示している。
【００６２】
前記キャッチャー機構５０は、前記スライダ４９を第１の位置にロックしたり、スライダ４９のロックを解除するロック装置の一例である。キャッチャー機構５０は、ケース８０と、ケース８０に支持された一対のロック爪８１ａ，８１ｂとを備えている。
【００６３】
ケース８０は、スライダ４９のスライド方向に延びる細長い箱形であり、スライダ４９と隣り合うように保持部４８の下面に固定されている。スライダ４９のアーム部７４は、ケース８０の長手方向に沿う一端からケース８０の内部に挿入されるようになっている。図１３に示すように、スライダ４９が第２の位置にスライドされた状態では、アーム部７４がケース８０の外に引き出されて、アーム部７４の先端の嵌合部７６がケース８０の一端と向かい合っている。
【００６４】
挾持爪８１ａ，８１ｂは、スライダ４９が第２の位置にスライドされた時に、スプリング８３で押されてケース８０の一端からケース８０の外に飛び出している。アーム部７４の先端の嵌合部７６は、挾持爪８１ａ，８１ｂの間に介在されている。
【００６５】
スライダ４９が第２の位置から第１の位置に向けてスライドされると、スライダ４９の嵌合部７６によって挾持爪８１ａ，８１ｂがスプリング８３に抗してケース８０の内部に押し込まれる。この押し込みに伴い、挾持爪８１ａ，８１ｂが互いに近づく方向に回動されて嵌合部７６を挟み込む。スライダ４９が第１の位置に達すると、挾持爪８１ａ，８１ｂがケース８０の内部に移動不能に保持される。よって、スライダ４９が第１の位置にロックされる。
【００６６】
このような構成のポータブルコンピュータ１において、スタイラスペン４３がペンホルダ３２のペン収容部７２から第１の筐体４の外に取り出された状態では、スライダ４９が図１３に示す第２の位置にスライドされている。
【００６７】
スタイラスペン４３をペン先４５から第１の筐体４のペン挿入口６２に挿入すると、スタイラスペン４３のペン本体４４がスライダ４９のペン挿入部７１を通じてペン収容部７２に導かれる。
【００６８】
スタイラスペン４３の挿入に伴って、ペン先４５がスライダ４９の嵌合孔７０に入り込むと、スライダ４９の係合突起７５がペン本体４４の係合溝４４ａに弾性的に引っ掛かる。これにより、スタイラスペン４３の挿入動作に追従してスライダ４９が第２の位置から第１の位置に向けてスライドを開始する。
【００６９】
スライダ４９が第２の位置から第１の位置に向けてスライドされると、スライダ４９のアーム部７４がキャッチャー機構５０のケース８０内に押し込まれる。キャッチャー機構５０の挾持爪８１ａ，８１ｂは、スライダ４９が第１の位置に達した時点で、アーム部７４の嵌合部７６を挟み込んだ状態でケース８０内に移動不能に保持される。
【００７０】
この結果、スタイラスペン４３が第１の筐体４の内部のペン収容部７２に格納される。スタイラスペン４３がペン収容部７２に格納された状態では、ペン本体４４の突起部４６に連続する端面がペン挿入口６２に露出されているに止まっている。したがって、ペン本体４４の端部を指先で摘んでペン収容部７２から取り出すことは不可能であり、スタイラスペン４３の盗難を防止できる。
【００７１】
一方、スタイラスペン４３をペン収容部７２から取り出すには、ペン挿入口６２から露出されているペン本体４４の端面を指先で押し込む。すると、挾持爪８１ａ，８１ｂの保持が解除されて、挾持爪８１ａ，８１ｂがスプリング８３によりケース８０の一端に向けて押圧される。この押圧により、アーム部７４がケース８０の一端からケース８０の外に押し出される。よって、スライダ４９がアーム部７４に追従して第１の位置から第２の位置に向けてスライドされる。
【００７２】
さらに、挾持爪８１ａ，８１ｂがケース８０の一端からケース８０の外に飛び出して互いに遠ざかる方向に回動する。これにより、挾持爪８１ａ，８１ｂが嵌合部７６から離脱し、スライダ４９とキャッチャー機構５０との連携が解除される。
【００７３】
スライダ４９が第２の位置に達すると、図２および図３に示すように、突起部４６を有するペン本体４４の端部がペン挿入口６２から第１の筐体４の外に飛び出す。そのため、ペン本体４４の端部を指先で摘んで引っ張ることで、スタイラスペン４３をペン収容部７２から取り出すことができる。
【００７４】
このような構成によれば、スライダ４９と協働してスタイラスペン４３を保持するペンホルダ３２の保持部４８は、補強壁５１を有している。補強壁５１は、保持部４８の周囲で第１の筐体４の底壁４とキーボード取り付け部１３との間に介在されて、第１の筐体４を内側から補強している。
【００７５】
このため、特にスタイラスペン４３がペン収容部７２から取り出されている時に、例えばキーボード取り付け部１３やパームレスト１２を上方から押圧するような力が第１の筐体４に加わったとしても、補強壁５１でキーボード取り付け部１３やパームレスト１２を下から支えることができる。
【００７６】
よって、ペンホルダ３２を利用して第１の筐体４の剛性を確保することができる。
【００７７】
本実施の形態によると、ペンホルダ３２は、光ディスク装置の代わりに第１の筐体４の内部の実装スペースに収容されたフレーム構造体３１と一体化されている。フレーム構造体３１は、パームレスト１２の右端部を上方から押圧するような外力が第１の筐体４に加わった場合、パームレスト１２を下から支えて、パームレスト１２の変形を防止する。したがって、フレーム構造体３１およびペンホルダ３２の双方で第１の筐体４の剛性を確保することができる。
【００７８】
さらに、本実施の形態では、ペンホルダ３２およびフレーム構造体３１は、ダミーユニット３０として一体化されているので、ポータブルコンピュータ１の部品点数を削減して、ポータブルコンピュータ１のコストを低減できる。
【００７９】
それとともに、光ディスク装置の代わりに第１の筐体４の内部に収容されるフレーム構造体３１にペンホルダ３２を付加したことで、光ディスク装置を収容する実装スペースを、スタイラスペン４３を収容するスペースに置き換えることができる。そのため、光ディスク駆動装置を搭載したプレミアムなモデルと、光ディスク駆動装置を省いたベーシックなモデルとの間で第１の筐体４を共用することができる。
【００８０】
この結果、第１の筐体４の汎用性が向上し、この点でもポータブルコンピュータ１のコストの低減に寄与するといった利点がある。
【００８１】
手書き入力機能を有する液晶表示装置２１は、表示モジュール３の第２の筐体２０に収容することに限定されるものではない。例えば、表示モジュール３およびキーボード１４を省略して、第１の筐体４に液晶表示装置２１を収容するようにしてもよい。
【００８２】
本発明のいくつかの実施形態を説明したが、これらの実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８３】
４…筐体（第１の筐体）、５…第１の壁（底壁）、６…第２の壁（上壁）、７…第３の壁（側壁）、３１…フレーム構造体、３２…ペンホルダ、４３…操作ペン（スタイラスペン）、４８…保持部、５１…補強壁。
【図１】
2012118940.tif 000003
【図２】
2012118940.tif 000004
【図３】
2012118940.tif 000005
【図４】
2012118940.tif 000006
【図５】
2012118940.tif 000007
【図６】
2012118940.tif 000008
【図７】
2012118940.tif 000009
【図８】
2012118940.tif 000010
【図９】
2012118940.tif 000011
【図１０】
2012118940.tif 000012
【図１１】
2012118940.tif 000013
【図１２】
2012118940.tif 000014
【図１３】
2012118940.tif 000015
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
第１の壁、外力が加わる領域を有する第２の壁および前記第１の壁の縁と前記第２の壁の縁との間に跨る第３の壁で規定された実装スペースを有する筐体と、
前記筐体の前記実装スペースに取り外し可能に収容され、前記第１の壁と前記第２の壁との間に介在されて前記筐体を内側から補強するフレーム構造体と、
前記フレーム構造体に一体に設けられ、前記筐体の前記第３の壁の方向から前記実装スペースに挿入されるペンを、前記第２の壁の前記領域から外れた位置で取り出し可能に保持する保持部を有するペンホルダと、を具備する電子機器。
【請求項２】
請求項１の記載において、前記ペンホルダは、前記保持部から起立されて、前記筐体の前記第１の壁と前記第２の壁との間に介在された補強壁を有する電子機器。
【請求項３】
請求項２の記載において、前記補強壁は、前記フレーム構造体と協働して前記保持部を囲んでいる電子機器。
【請求項４】
請求項１ないし請求項３のいずれか一項の記載において、前記ペンホルダは、(I)前記筐体の前記第３の壁に露出されたペン挿入口と、(II)前記保持部に保持され、前記ペン挿入口から挿入された前記ペンと一緒にスライドされるスライダと、(III)前記ペンが前記筐体内に格納される位置まで前記スライダがスライドされた時に前記スライダをロックするとともに、前記ペンを前記筐体内から取り出す時に前記スライダのロックを解除するロック装置と、を具備する電子機器。
【請求項５】
請求項４の記載において、前記スライダは、前記ペンが前記筐体内に格納される第１の位置と、前記ペンが前記筐体の外に突出される第２の位置との間でスライド可能に前記保持部に保持され、前記ロック装置は、前記スライダが前記第１の位置にスライドされた時に、前記スライダを前記第１の位置にロックする電子機器。
【請求項６】
請求項１の記載において、前記フレーム構造体は、互いに間隔を存して配列された複数の第１のフレーム要素と、前記第１のフレーム要素と交差する方向に沿って互いに間隔を存して配列された複数の第２のフレーム要素とを有し、前記第１のフレーム要素と前記第２のフレーム要素とが格子状に組み合わされているとともに、前記第１のフレーム要素と前記第２のフレーム要素とが交差する箇所に、前記第１のフレーム要素と前記第２のフレーム要素との間に跨る補強板が設けられた電子機器。
【請求項７】
請求項６の記載において、前記第２の壁の前記領域は、ハニカム形状のリブが設けられた内面を有し、前記フレーム構造体は、前記第２の壁の前記内面に向けて突出された複数の突起を有するとともに、前記突起の先端が前記内面のうち前記リブで囲まれた領域と対向した電子機器。
【請求項８】
外力が加わる領域を有する筐体と、
前記筐体の内部に収容され、前記領域の端に対応する位置でペンを取り出し可能に保持する保持部を有するペンホルダと、
前記ペンホルダに一体に設けられ、前記筐体を内側から補強するように構成されたフレーム構造体と、を具備する電子機器。
【請求項９】
請求項８の記載において、前記ペンホルダは、前記保持部から起立されて前記筐体を内側から補強する補強壁を有する電子機器。
【請求項１０】
パームレストを有する筐体と、
前記筐体の内部に収容されたペンホルダと、を具備し、
前記ペンホルダは、前記筐体に支持されるとともに前記パームレストの端に対応する位置でペンを取り出し可能に保持する保持部と、前記保持部に一体に設けられて前記筐体を内側から補強するように構成された補強壁と、を有する電子機器。
【手続補正２】
【補正対象書類名】明細書
【補正対象項目名】０００６
【補正方法】変更
【補正の内容】
【０００６】
一つの実施形態によれば、電子機器は、筐体、フレーム構造体およびペンホルダを備えている。前記筐体は、第１の壁、外力が加わる領域を有する第２の壁および前記第１の壁の縁と前記第２の壁の縁との間に跨る第３の壁で規定された実装スペースを有している。前記フレーム構造体は、前記筐体の前記実装スペースに取り外し可能に収容され、前記第１の壁と前記第２の壁との間に介在されて前記筐体を内側から補強するように構成されている。前記保持部は、  前記フレーム構造体に一体に設けられ、前記筐体の前記第３の壁の方向から前記実装スペースに挿入されるペンを、前記第２の壁の前記領域から外れた位置で取り出し可能に保持している。
【手続補正３】
【補正対象書類名】明細書
【補正対象項目名】００３８
【補正方法】変更
【補正の内容】
【００３８】
図４に示すように、パームレスト１２の内面１２ａから突出された凸部５７が位置決め部５５の係合孔５６に嵌合されている。この嵌合により、パームレスト１２に対するダミーユニット３０の大まかな位置合わせがなされている。さらに、フレーム構造体３１のボス部３８およびペンホルダ３２のボス部５４は、夫々パームレスト１２の内面１２ａにねじ５８で固定されている。
【手続補正４】
【補正対象書類名】明細書
【補正対象項目名】００６２
【補正方法】変更
【補正の内容】
【００６２】
前記キャッチャー機構５０は、前記スライダ４９を第１の位置にロックしたり、スライダ４９のロックを解除するロック装置の一例である。キャッチャー機構５０は、ケース８０と、ケース８０に支持された一対の挟持爪８１ａ，８１ｂとを備えている。
【手続補正５】
【補正対象書類名】明細書
【補正対象項目名】００８３
【補正方法】変更
【補正の内容】
【００８３】
４…筐体（第１の筐体）、５…第１の壁（底壁）、６…第２の壁（上壁）、７…第３の壁（側壁）、１２…パームレスト（領域）、３１…フレーム構造体、３２…ペンホルダ、４３…ペン（スタイラスペン）、４８…保持部、５１…補強壁。
【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
第１の壁、外力が加わる領域を有する第２の壁および前記第１の壁の縁と前記第２の壁の縁との間に跨る第３の壁で規定された実装スペースを有する筐体と、
前記筐体の前記実装スペースに、当該実装スペースに装着される装置の代わりに取り外し可能に収容され、前記第１の壁と前記第２の壁との間に介在されて前記筐体を内側から補強するフレーム構造体と、
前記フレーム構造体に一体に設けられたペンホルダと、を具備し、
前記ペンホルダは、前記筐体の前記第３の壁の方向から前記実装スペースに挿入されるペンを、前記第２の壁の前記領域から外れた位置で取り出し可能に保持する保持部を有し、当該保持部は、前記筐体内で前記第２の領域の端に位置するように前記フレーム構造体から突出されて、前記第２の壁と前記フレーム構造体との間から外れた電子機器。
【請求項２】
請求項１の記載において、前記ペンホルダは、前記保持部から起立されて、前記筐体の前記第１の壁と前記第２の壁との間に介在された補強壁を有する電子機器。
【請求項３】
請求項２の記載において、前記補強壁は、前記フレーム構造体と協働して前記保持部を囲んでいる電子機器。
【請求項４】
請求項１ないし請求項３のいずれか一項の記載において、前記ペンホルダは、(I)前記筐体の前記第３の壁に露出されたペン挿入口と、(II)前記保持部に保持され、前記ペン挿入口から挿入された前記ペンと一緒にスライドされるスライダと、(III)前記ペンが前記筐体内に格納される位置まで前記スライダがスライドされた時に前記スライダをロックするとともに、前記ペンを前記筐体内から取り出す時に前記スライダのロックを解除するロック装置と、を具備する電子機器。
【請求項５】
請求項４の記載において、前記スライダは、前記ペンが前記筐体内に格納される第１の位置と、前記ペンが前記筐体の外に突出される第２の位置との間でスライド可能に前記保持部に保持され、前記ロック装置は、前記スライダが前記第１の位置にスライドされた時に、前記スライダを前記第１の位置にロックする電子機器。
【請求項６】
請求項１の記載において、前記フレーム構造体は、互いに間隔を存して配列された複数の第１のフレーム要素と、前記第１のフレーム要素と交差する方向に沿って互いに間隔を存して配列された複数の第２のフレーム要素とを有し、前記第１のフレーム要素と前記第２のフレーム要素とが格子状に組み合わされているとともに、前記第１のフレーム要素と前記第２のフレーム要素とが交差する箇所に、前記第１のフレーム要素と前記第２のフレーム要素との間に跨る補強板が設けられた電子機器。
【請求項７】
請求項６の記載において、前記第２の壁の前記領域は、ハニカム形状のリブが設けられた内面を有し、前記フレーム構造体は、前記第２の壁の前記内面に向けて突出された複数の突起を有するとともに、前記突起の先端が前記内面のうち前記リブで囲まれた領域と対向した電子機器。
【請求項８】
パームレスト部を有する筐体と、
前記筐体の内部に収容され、前記パームレスト部の中央部分から外れた位置でペンを取り出し可能に保持する保持部を有するペンホルダと、
前記ペンホルダに一体に設けられ、前記筐体を内側から補強するように構成されたフレーム構造体と、を具備し、
前記ペンホルダの前記保持部は、前記フレーム構造体から突出されて、前記パームレスト部と前記フレーム構造体との間から外れて位置した電子機器。
【請求項９】
請求項８の記載において、前記ペンホルダは、前記保持部から起立されて前記筐体を内側から補強する補強壁を有する電子機器。
【手続補正２】
【補正対象書類名】明細書
【補正対象項目名】０００６
【補正方法】変更
【補正の内容】
【０００６】
一つの実施形態によれば、電子機器は、筐体、フレーム構造体およびペンホルダを備えている。前記筐体は、第１の壁、外力が加わる領域を有する第２の壁および前記第１の壁の縁と前記第２の壁の縁との間に跨る第３の壁で規定された実装スペースを有している。前記フレーム構造体は、前記筐体の前記実装スペースに、当該実装スペースに装着される装置の代わりに取り外し可能に収容され、前記第１の壁と前記第２の壁との間に介在されて前記筐体を内側から補強するように構成されている。前記ペンホルダは、前記フレーム構造体に一体に設けられているとともに、前記筐体の前記第３の壁の方向から前記実装スペースに挿入されるペンを、前記第２の壁の前記領域から外れた位置で取り出し可能に保持する保持部を有している。前記保持部は、前記筐体内で前記第２の領域の端に位置するように前記フレーム構造体から突出されて、前記第２の壁と前記フレーム構造体との間から外れている。
【手続補正３】
【補正対象書類名】明細書
【補正対象項目名】００８２
【補正方法】変更
【補正の内容】
【００８２】
本発明のいくつかの実施形態を説明したが、これらの実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願出願の当初の特許請求の範囲に記載された発明を付記する。
[１] 第１の壁、第２の壁および前記第１の壁の縁と前記第２の壁の縁との間に跨る第３の壁を有する筐体と、
前記筐体の内部に取り外し可能に収容され、前記第１の壁と前記第２の壁との間に介在されて前記筐体を内側から補強するフレーム構造体と、
前記フレーム構造体に一体に設けられ、前記筐体の前記第３の壁の方向から挿入される手書き入力用の操作ペンを取り出し可能に保持する保持部を有するペンホルダと、を具備する電子機器。
[２] [１]の記載において、前記ペンホルダは、前記保持部から起立されて、前記筐体の前記第１の壁と前記第２の壁との間に介在された補強壁を有する電子機器。
[３] [２]の記載において、前記補強壁は、前記フレーム構造体と協働して前記保持部を囲んでいる電子機器。
[４] [３]の記載において、前記ペンホルダは、(I)前記筐体の第３の壁に露出され、前記操作ペンが挿入されるペン挿入口と、(II)前記保持部に支持され、前記ペン挿入口から挿入された前記操作ペンと一緒にスライドされるスライダと、(III)前記操作ペンが前記筐体内に格納される位置まで前記スライダがスライドされた時に前記スライダをロックするとともに、前記操作ペンを前記筐体内に取り出す時に前記スライダのロックを解除するロック装置と、を具備する電子機器。
[５] [４]の記載において、前記スライダは、前記操作ペンが前記筐体内に格納される第１の位置と、前記操作ペンが前記筐体の外に突出される第２の位置との間でスライド可能に上記保持部に支持され、前記ロック装置は、前記スライダが前記第１の位置にスライドされた時に、前記スライダを前記第１の位置にロックする電子機器。
[６] [１]の記載において、前記フレーム構造体は、互いに間隔を存して配列された複数の第１のフレーム要素と、前記第１のフレーム要素と交差する方向に沿って互いに間隔を存して配列された複数の第２のフレーム要素とを有し、これら第１のフレーム要素と第２のフレーム要素とが格子状に組み合わされた電子機器。
[７] [６]の記載において、前記第１のフレーム要素と前記第２のフレーム要素とが交差する箇所に、前記第１のフレーム要素と前記第２のフレーム要素との間に跨る補強板が設けられた電子機器。
[８] [６]又は[７]の記載において、前記筐体の前記第２の壁は、ハニカム形状のリブが設けられた内面を有し、前記フレーム構造体は、前記第２の壁の前記内面に向けて突出された複数の突起を有するとともに、前記突起の先端が前記第２の壁の内面のうち前記リブで囲まれた領域と対向した電子機器。
[９] 筐体と、
前記筐体に収容され、手書き入力用の操作ペンを取り出し可能に保持する保持部を有するペンホルダと、
前記ペンホルダに一体に設けられ、前記筐体を内側から補強するフレーム構造体と、を具備する電子機器。
[１０] [９]の記載において、前記ペンホルダは、前記保持部から起立されて前記筐体を内側から補強する補強壁を有する電子機器。
[１１] 筐体と、
前記筐体に収容されたペンホルダであって、前記ペンホルダは、上記筐体に支持されるとともに手書き入力用の操作ペンを取り出し可能に保持する保持部と、この保持部に一体に設けられ、前記筐体を内側から補強する補強壁とを有する電子機器。
【手続補正４】
【補正対象書類名】明細書
【補正対象項目名】００８３
【補正方法】変更
【補正の内容】
【００８３】
４…筐体（第１の筐体）、５…第１の壁（底壁）、６…第２の壁（上壁）、７…第３の壁(側壁)、１２…パームレスト部（領域、パームレスト）、３１…フレーム構造体、３２…ペンホルダ、４３…ペン（スタイラスペン）、４８…保持部。